(57)【特許請求の範囲】
【請求項１】
外部機器との充電に用いられる充電端子ユニットと、この充電端子ユニットが組み込まれた筐体とを具備する電子機器において、
前記充電端子ユニットは、
一対の金属部材と、
平板状に形成され、前記一対の金属部材がそれぞれ平板の両面から露出するように離間されて嵌め込まれた樹脂部材と、
前記樹脂部材の外側面に嵌合されたリング状のゴム部材と、を備え、
前記筐体は、
前記筐体の内外を貫通するように設けられた一対の窓部と、
前記筐体内面に、前記一対の窓部を含むように、前記充電端子ユニットの樹脂部材を収容する形状に形成された第１の溝部と、を備え、
前記一対の金属部材がそれぞれ前記一対の窓部を介して筐体外部に露出するとともに、前記筐体内部に露出し、また、前記ゴム部材が前記第１の溝部の外周に密着するように、前記充電端子ユニットが前記第１の溝部に嵌め込まれることにより前記筐体に組み込まれたことを特徴とする電子機器。
【請求項２】
外部機器との充電に用いられる充電端子ユニットと、この充電端子ユニットが組み込まれた筐体とを具備する電子機器において、
前記充電端子ユニットは、
第１の平板部、連結部、第２の平板部を備えた一対の金属部材と、
平板状に形成され、前記一対の金属部材の第１の平板部がそれぞれ平板の一方の面から露出するとともに、前記一対の金属部材の第２の平板部がそれぞれ平板の他方の面から露出するように、前記一対の金属部材がそれぞれ離間するように嵌め込まれた樹脂部材と、
前記樹脂部材の外側面に嵌合されたリング状のゴム部材と、を備え、
前記筐体は、
前記筐体の内外を貫通するように設けられた一対の窓部と、
前記筐体内面に、前記一対の窓部を含むように、前記充電端子ユニットの樹脂部材を収容する形状に形成された第１の溝部と、を備え、
前記充電端子ユニットが、前記一対の金属部材の第１の平板部がそれぞれ前記一対の窓部を介して筐体外部に露出するとともに、前記一対の金属部材の第２の平板部が筐体内部に露出し、また、前記ゴム部材が前記第１の溝部の外周に密着するように、前記充電端子ユニットが前記第１の溝部に嵌め込まれることにより前記筐体に組み込まれたことを特徴とする電子機器。
【請求項３】
前記樹脂部材は、一方の面に、前記一対の金属部材の第１の平板部と同形状に形成された一対の第２の溝部を備えるとともに、他方の面に、前記一対の金属部材の第２の平板部と同形状に形成された一対の第３の溝部を備え、
前記一対の金属部材の第１の平板部がそれぞれ前記第２の溝部に嵌め込まれ、前記一対の金属部材の第２の平板部がそれぞれ前記第３の溝部に嵌め込まれたことを特徴とする請求項２記載の電子機器。
【請求項４】
前記筐体の内面に着脱自在に設けられた固定部材を備え、
前記充電端子ユニットは、前記筐体に組み込まれた際に、この固定部材により固定されることを特徴とする請求項１または２記載の電子機器。
【請求項５】
前記充電端子ユニットは、前記筐体に組み込まれた際に、基板部材に当接されることより固定されることを特徴とする請求項１または２記載の電子機器。
【発明の詳細な説明】
【技術分野】
【０００１】
本発明は、防水機能を備えた電子機器に関する。
【背景技術】
【０００２】
近年、携帯電話機等の電子機器が防水機能を備えるようになってきたことに伴い、お風呂等の浸水する恐れのある場所で携帯電話機が使用される機会が増えている。防水機能を備えた携帯電話機において、充電端子は外部に露出させざるを得ない金属部品であるため、耐腐食性について考慮した設計をする必要がある。
【０００３】
すなわち、携帯電話機が防水機能を備えていたとしても、充電端子等の金属部品が筐体の外部に露出していると、その露出した金属部品が腐食する恐れがあるため、外部に露出した金属部分に金メッキ処理、封孔処理等の防水処理を施すことによって、携帯電話機の充電端子等の金属部品を耐腐食性を有する状態に加工する必要がある。しかしながら、筐体から露出した金属部分に金メッキを施す際、金メッキ処理を行う領域が大きくなればなるほど、製造コストが高くなってしまうという問題があった。
【０００４】
そこで、コストアップを招来することなく、内部に収容される充電池や保護回路等の電気部品を良好に保護することができる電子機器の保護ケースが提案されている（特許文献１参照）。この電子機器の保護ケースは、複数の電子部品が実装された保護回路とこの保護回路と導通する充電池とが樹脂製の容器に収容された充電池パックにおいて、保護回路または充電池とを導通するとともに、外部の所定の対象物と電気的な導通が可能とされた端子片を、容器に一体的にインサート成形したものである。
【特許文献１】特開平１１−１８５７１９号公報
【発明の開示】
【発明が解決しようとする課題】
【０００５】
特許文献１に記載されているように端子片を外装筐体に一体的にインサート成形した場合、外装筐体の寸法にバラツキが生じやすいという問題があった。外装筐体の寸法にバラツキがあると、防水機能の信頼性が低下してしまう恐れがある。また、特許文献１の端子片（図４に示す第１端子片４）は、その構造上、スライド機構を有さない単純な金型構造においては金型から抜くことができないため、製造困難なものと思われる。さらに、特許文献１には基板（保護回路）の表面に形成された端子が端子片に接触することにより充電池と導通する構成が記載されているが、基板の寸法にはバラツキがあるため基板の端子が端子片に安定して接触する保証はなく、基板を支持部材として用いることは困難である。
【０００６】
本発明は、上記課題を鑑みなされてものであり、防水機能を備えた電子機器であって、防水機能の信頼性を損なわずに製造コストを削減することができる電子機器を提供することを目的とする。
【課題を解決するための手段】
【０００７】
上記課題を解決するために、本発明に係る電子機器は、外部機器との充電に用いられる充電端子ユニットと、この充電端子ユニットが組み込まれた筐体とを具備する電子機器において、前記充電端子ユニットは、一対の金属部材と、平板状に形成され、前記一対の金属部材がそれぞれ平板の両面から露出するように離間されて嵌め込まれた樹脂部材と、前記樹脂部材の外側面に嵌合されたリング状のゴム部材と、を備え、前記筐体は、前記筐体の内外を貫通するように設けられた一対の窓部と、前記筐体内面に、前記一対の窓部を含むように、前記充電端子ユニットの樹脂部材を収容する形状に形成された第１の溝部と、を備え、前記一対の金属部材がそれぞれ前記一対の窓部を介して筐体外部に露出するとともに、前記筐体内部に露出し、また、前記ゴム部材が前記第１の溝部の外周に密着するように、前記充電端子ユニットが前記第１の溝部に嵌め込まれることにより前記筐体に組み込まれたことを特徴とする。
【発明の効果】
【０００８】
本発明に係る電子機器によると、充電端子ユニットを筐体とは別ピースとして形成し、露出する金属部分を少なくして金メッキの領域をできる限り小さくするとともに、防水用パッキンの嵌合部分を全て樹脂部材で形成することにより、防水機能の信頼性を損なわずに製造コストを削減することが可能となる。
【発明を実施するための最良の形態】
【０００９】
本発明に係る電子機器の実施形態について、添付図面を参照しながら説明する。本発明に係る電子機器として、複数の筐体が開閉自在に結合されてなるクラムシェル型の携帯電話機１を例にあげて説明する。図１は、携帯電話機１の開いた状態を示す斜視図である。
【００１０】
携帯電話機１は、図１に示すように、主に、矩形の板状の上筐体１０と、この上筐体１０とほぼ同形状をした下筐体１１とにより構成されていて、これらの上筐体１０及び下筐体１１は、閉じた状態において相互に一面を覆うように積層されている。上筐体１０及び下筐体１１は、ヒンジ部１２を挟むようにヒンジ結合されていて、上筐体１０は下筐体１１に対して、ヒンジ部１２を軸にして、図１のＸ方向に所定角度だけ回転自在なように形成されている。携帯電話機１は、上筐体１０を下筐体１１に対して回転させることにより、閉じた状態から開いた状態に、あるいは開いた状態から閉じた状態に変形する。
【００１１】
上筐体１０の内面（下筐体１１に対面する側の面）には、文字や画像等の情報を含んだ表示画面６０を表示するための液晶ディスプレイ１３、音声を出力するためのスピーカ１４が設けられている。これらの液晶ディスプレイ１３やスピーカ１４は、携帯電話機１が閉じた状態のときには、下筐体１１により覆われていて外部に露出していないが、上筐体１０を下筐体１１に対して回転させて開いた状態に変形させたときには、外部に露出される。
【００１２】
下筐体１１の内面（上筐体１０に対面する側の面）には、例えば、カーソルや表示画面を上下左右に移動させるための十字キーや、項目を選択するための選択キーや、数字を入力するための数字キー、発信処理を行うための発信キー等の操作キー１５が設けられている。また下筐体１１には、音声を集音するためのマイクロフォン１６が設けられている。これらの操作キー１５やマイクロフォン１６は、携帯電話機１が閉じた状態のときには、上筐体１０により覆われていて外部に露出していないが、上筐体１０を下筐体１１に対して回転させて開いた状態に変形させたときには、外部に露出される。
【００１３】
下筐体１１の側面には、外部バッテリの接続端子や充電器の接続端子を接続することにより、携帯電話機１に外部から電力を供給したり内蔵バッテリ６４の充電を行ったりするための充電端子ユニット１７が備えられている。充電端子ユニット１７は、携帯電話機１が閉じた状態のときでも開いた状態のときでも外部に露出されているため、いつでも外部バッテリの接続端子や充電器の接続端子を接続することができる。
【００１４】
充電端子ユニット１７は、金属材料で形成されるとともに常に携帯電話機１の外部に露出している部品であるため、携帯電話機１が防水機能を備えるためには、この充電端子ユニット１７に対して耐腐食性を考慮した設計をするとともに、下筐体１１の内部への浸水を防止する必要がある。そこで、本発明の携帯電話機１において、充電端子ユニット１７を下筐体１１とは別ピースとして形成するとともに、充電端子ユニット１７の金属部分の一部のみを下筐体１１から露出させ、また、ゴムパッキン（後述するゴム部材２３）を使用して下筐体１１の内部の浸水を防止することで、信頼性の高い防水機能と実現させている。
【００１５】
図２は、下筐体１１の内部に充電端子ユニット１７を組み込んだ状態を示す拡大斜視図である。図２に示すように、充電端子ユニット１７は、第１の金属部材２０、第２の金属部材２１、樹脂部材２２、及びゴム部材２３から構成されている。一方、下筐体１１は内外に貫通する一対の窓部１８を備えている。そして、下筐体１１に収納された充電端子ユニット１７の金属部分（第１の金属部材２０、第２の金属部材２１）がこの窓部１８を介して外部に露出するように、充電端子ユニット１７が下筐体１１に組み込まれる。
【００１６】
図３に、充電端子ユニット１７の分解図を示す。第１の金属部材２０及び第２の金属部材２１は、下筐体１１の内外を電気的に導通するための部材であり、樹脂部材２２は、これらの第１の金属部材２０及び第２の金属部材２１を覆ってこれらが腐食しないように保護するための部材であり、ゴム部材２３は、下筐体１１の内部に充電端子ユニット１７（窓部１８）を介して水が浸入するのを防止するためのリング状の部材である。そして、充電端子ユニット１７は、樹脂部材２２に、第１の金属部材２０、第２の金属部材２１、ゴム部材２３をそれぞれ嵌め込むことにより形成されている。
【００１７】
図４（Ａ）に第１の金属部材２０の正面図、図４（Ｂ）に第１の金属部材２０の背面図、図４（Ｃ）に第１の金属部材２０の左側面図、図４（Ｄ）に第１の金属部材２０の右側面図、図４（Ｅ）に第１の金属部材２０の平面図、図４（Ｆ）に第１の金属部材２０の底面図を示す。
【００１８】
第１の金属部材２０は、それぞれほぼ矩形の形状のなす第１の平板部３０、連結部３１、第２の平板部３２により一体的に形成されているとともに、第１の平板部３０及び連結部３１、連結部３１及び第２の平板部３２が、それぞれ直角の角度をなすように折り曲げられることにより、第１の金属部材２０は平面方向における断面視ほぼ「コ」の字状に形成されている。すなわち、第１の平板部３０及び第２の平板部３２がほぼ平行になるように形成されているとともに、これらの第１の平板部３０及び第２の平板部３２とを連結するように連結部３１が設けられている。
【００１９】
また、第２の平板部３２の上辺には、ほぼ矩形の形状をなす第３の平板部３３が第２の平板部３２に対してほぼ直角の角度をなすように、第１の平板部３０に対して反対の方向に向けて一体型に設けられている。
【００２０】
第１の平板部３０において、連結部３１に連結した辺に対抗する辺には、第２の平板部３２の方向に向けて係止片３４が設けられている。この係止片３４は、例えば第１の平板部３０を含めて断面視「コ」の字状に折り曲げられて形成されている。また、第２の平板部３２において、連結部３１に連結した辺に対抗する辺には一対の舌状の係止片３６が設けられている。これらの係止片３４、３６は、第１の金属部材２０を樹脂部材２２に組み込むときに使用される。
【００２１】
図５（Ａ）に第２の金属部材２１の正面図、図５（Ｂ）に第２の金属部材２１の背面図、図５（Ｃ）に第２の金属部材２１の左側面図、図５（Ｄ）に第２の金属部材２１の右側面図、図５（Ｅ）に第２の金属部材２１の平面図、図５（Ｆ）に第２の金属部材２１の底面図を示す。
【００２２】
第２の金属部材２１は、第１の金属部材２０に対して鏡像対象に形成したものである。すなわち、第２の金属部材２１は、それぞれほぼ矩形の形状をなす第１の平板部３０、連結部３１、第２の平板部３２により一体的に形成されているとともに、平面方向における断面視ほぼ「コ」の字状に形成されている。第２の平板部３２の上辺には、ほぼ矩形の形状をなす第３の平板部３３が、第２の平板部３２に対してほぼ直角の角度をなすように、第１の平板部３０に対して反対の方向に向けて一体型に設けられている。
【００２３】
第２の金属部材２１は、第１の金属部材２０と同様に、第１の平板部３０において、連結部３１に連結した辺に対抗する辺には、第２の平板部３２の方向に向けて係止片３４が設けられている。また、第２の平板部３２において、連結部３１に連結した辺に対抗する辺には一対の舌状の係止片３６が設けられている。また、第２の金属部材２１は、第３の平板部３３において、第２の平板部３２に連結した辺に対して垂直となる辺にはそれぞれ舌状の係止片３７が設けられている。これらの係止片３４、３６、３７は、第２の金属部材２１を樹脂部材２２に組み込むときに使用される。
【００２４】
図６（Ａ）に樹脂部材２２の正面図、図６（Ｂ）に樹脂部材２２の背面図、図６（Ｃ）に樹脂部材２２の左側面図、図６（Ｄ）に樹脂部材２２の右側面図、図６（Ｅ）に樹脂部材２２の平面図、図６（Ｆ）に樹脂部材２２の底面図を示す。なお、図６（Ａ）乃至図６（Ｆ）において、樹脂部材２２にゴム部材２３が嵌め込まれた状態が示されている。
【００２５】
樹脂部材２２はほぼ矩形の平板部４０を備えていて、この平板部４０の長辺のうちの一辺から一対の舌片４１が平板部４０に対して直角の角度をなすように設けられていて、正面から見ると全体として「「」状に形成されている。この平板部４０は、主に、金属部材２０、２１の第１の平板部３０及び第２の平板部３２を保護するために形成され、舌片４１は、主に、金属部材２０、２１の第３の平板部３３を保護するために形成されたものである。
【００２６】
平板部４０において、「「」の字の外側に位置する面を外面４０ａ、「「」の字の内側に位置する面を内面４０ｂと呼ぶ。平板部４０の外面４０ａ及び内面４０ｂの中央にはそれぞれ凹部４２、４２ａが設けられている。凹部４２は、図６（Ｃ）に示すように、平板部４０の外面４２において逆「Ｃ」状に形成されていて、凹部４２ａは、図６（Ｄ）に示すように、平板部４０の内面４２ｂにおいて矩形状に設けられている。
【００２７】
平板部４０の外面４０ａにおける凹部４２の脇には、この凹部４２を長手方向に挟むように２つの溝部４４が設けられている。これらの溝部４４は、第１の金属部材２０の第１の平板部及び第２の金属部材２１の第１の平板部３０と同形状に形成されており、第１の金属部材２０及び第２の金属部材２１が樹脂部材２２に嵌め込まれる際、第１の金属部材２０及び第２の金属部材２１の第１の平板部３０がそれぞれ溝部４４に嵌め込まれる。
【００２８】
また、溝部４４の外縁における平板部４０における短辺方向の２辺には、平板部４０における内側に位置する内側切込部４５、平板部４０における外側に位置する外側切込部４５ａがそれぞれ設けられている。そして、内側切込部４５は、平板部４０の外面４０ａから内面４０ｂまでを貫通するように設けられている。これらの切込部４５、４５ａは、第１の金属部材２０及び第２の金属部材２１が樹脂部材２２に嵌め込まれる際に、第１の金属部材２０及び第２の金属部材２１の連結部３１が内側切込部４５に、第１の平板部３０の係止片３４が樹脂部材２２の外側切込部４５ａにそれぞれ貫通した状態で嵌め込まれる。
【００２９】
平板部３０は、側面に全周囲に渡った凹状の台部４６を備えている。リング状のゴム部材２３は、樹脂部材２２に嵌め込まれる際に、この台部４６の位置に固定される。なお、台部４６の凹形状は、ゴム部材２３とほぼ同形状に設けられ、台部４６の深さは、ゴム部材２３が嵌め込まれた際に、ゴム部材２３が台部４６から全周囲に渡って突出するような深さに設定されている。
【００３０】
平板部４０の内面４０ｂにおける凹部４２ａの脇には、この凹部４２ａを長手方向に挟むように２つの溝部４７が設けられている。これらの溝部４７は、第１の金属部材２０の第２の平板部３２及び第２の金属部材２１の第２の平板部３２と同形状に形成されており、第１の金属部材２０及び第２の金属部材２１が樹脂部材２２に嵌め込まれる際、第１の金属部材２０及び第２の金属部材２１の第２の平板部３２がそれぞれ溝部４７に嵌め込まれる。
【００３１】
また、溝部４７の外縁における平板部４０の短辺方向の２辺には、平板部４０における内側に位置する内側切込部４８、平板部４０における外側に位置する外側切込部４８ａがそれぞれ設けられている。内側切込部４８は、平板部４０の外面４０ａの内側切込部４５まで貫通したものである。これらの切込部４８、４８ａは、第１の金属部材２０及び第２の金属部材２１が樹脂部材２２に嵌め込まれる際に、第１の金属部材２０及び第２の金属部材２１の連結部３１が樹脂部材２２の内側切込部４８に、第１の金属部材２０及び第２の金属部材２１の第２の平板部３２の係止片３６が樹脂部材２２の外側切込部４８ａにそれぞれ貫通した状態で嵌め込まれる。
【００３２】
一対の舌片４１において、平板部４０に対抗する側の面には、矩形状の溝部４９がそれぞれ設けられているとともに、これらの溝部４９の中央部にはそれぞれ円形の貫通孔５０が設けられている。溝部４９は、第１の金属部材２０及び第２の金属部材２１の第３の平板部３３と同形状に形成されており、第１の金属部材２０及び第２の金属部材２１が樹脂部材２２に嵌め込まれる際、第１の金属部材２０及び第２の金属部材２１の第３の平板部３３がそれぞれ舌片４１の溝部４９に嵌め込まれる。この際、樹脂部材２２において、円形の貫通孔５０を介して、嵌め込まれた金属部材２０、２１の第３の平板部がそれぞれ露出する。
【００３３】
また、一対の舌片４１のうちの一方（第２の金属部材２１に当接する方）の溝部４９の外縁において、樹脂部材２２の平板部４０の短辺方向の２辺には切込部５１が設けられていて、樹脂部材２２に第２の金属部材２１を嵌め込む際、第２の金属部材２１の第３の平板部３３の一対の係止片３７が、これらの切込部５１をそれぞれ貫通する。
【００３４】
これらの第１の金属部材２０、第２の金属部材２１、樹脂部材２２、ゴム部材２３を用いて充電端子ユニット１７を作成する際、図７（Ａ）に示すように、樹脂部材２２の平板部４０の外面４０ａの内側切込部４５に第１の金属部材２０及び第２の金属部材２１の連結部３１が位置するように、樹脂部材２２に第１の金属部材２０及び第２の金属部材２１が組み込まれ、この外面４０ａの溝部４４に第１の金属部材２０及び第２の金属部材２１の第１の平板部３０がそれぞれ嵌め込まれる。
【００３５】
また、図７（Ｂ）に示すように、樹脂部材２２の平板部４０の内面４０ｂの溝部４７に第１の金属部材２０及び第２の金属部材２１の第２の平板部３２が嵌め込まれる。この際、第１の金属部材２０及び第２の金属部材２１の第３の平板部３３は、樹脂部材２２の舌片４１の溝部４９に嵌め込まれる。また、リング状のゴム部材２３が樹脂部材２２の平板部４０の外側面を全周囲に渡って覆うように、台部４６に嵌められる。
【００３６】
これにより、図７（Ａ）及び図７（Ｃ）に示すように、樹脂部材２２の外面４０ａから第１の金属部材２０及び第２の金属部材２１の第１の平板部３０がそれぞれ露出する。また、図７（Ｂ）及び図７（Ｃ）に示すように、樹脂部材２２の内面４０ｂから第１の金属部材２０及び第２の金属部材２１の第２の平板３２及び第３の平板３３がそれぞれ露出する。また、露出した第１の金属部材２０及び第２の金属部材２１の第１の平板部３０、及び露出した第１の金属部材２０及び第２の金属部材２１の第２の平板部３２の間の位置に、ゴム部材２３が固定される。よって、充電端子ユニット１７において、外部に露出する金属部分は、金属部材２０、２１の第１の平面部３０、第２の平面部３２、第３の平面部３３のみとなる。
【００３７】
このように形成された充電端子ユニット１７は、図８に示すように、下筐体１１の内部に組み込まれる。下筐体１１は、内側側面の所定位置に、充電端子ユニット１７の樹脂部材２２の平板部４０と同形状（樹脂部材２２を収容する形状）に、一対の窓部１８を内部に含むように形成された溝部１９を備えている。また下筐体１１は、内側底面の所定位置に所定サイズで設けられた溝部１９ａを備えている。充電端子ユニット１７は、下筐体１１の内側側面の溝部１９に、第１の金属部材２０、第２の金属部材２１の第１の平板部３０がそれぞれ窓部１８に当接するような状態で嵌め込まれる。これにより、下筐体１１に充電端子ユニット１７が嵌め込まれた状態において、金属部材２０、２１の第１の平板部３０が下筐体１１の窓部１８からそれぞれ露出する。外部バッテリや充電器の接続端子を、下筐体１１の窓部１８から露出した第１の平板部３０に接触させることにより、携帯電話機１に対する電力の供給が行われる。
【００３８】
またこの際、樹脂部材２２の外周（外側面）部分に嵌め込まれたゴム部材２３が下筐体１１の溝部１９に隙間なく密着するように当接することにより、ゴム部材２３は防水用パッキンの役割を果たし、窓部１８を介して下筐体１１の内部に水が浸入することが防止される。
【００３９】
充電端子ユニット１７が下筐体１１に嵌め込まれた後、充電端子ユニット１７は固定部材６０で更に固定される。すなわち、この固定部材６０は突出部６１を備えていて、この突出部６１が充電端子ユニット１７を外部方向に押し付けるように当接し、突出部６１ａが下筐体１１の内側底面に設けられた溝部１９ａに嵌め込まれることにより、充電端子ユニット１７を下筐体１１に固定する。これにより、充電端子ユニット１７は下筐体１１と固定部材６０とで押さえつけられ、下筐体１１に強い水圧が加わった場合や下筐体１１が強く揺さぶられた場合であっても、位置がずれることがない。
【００４０】
さらに、充電端子ユニット１７が固定部材６０により固定された後、図９に示すように、基板部材６２が下筐体１１の内部に組み込まれる。この際、基板部材６２に設けられた突起部６３が、下筐体１１の内部に組み込まれている充電端子ユニット１７を外部方向に押し付けるように当接することにより、充電端子ユニット１７は、固定部材６０に加えて基板部材６２により二重に固定される。
【００４１】
一般的に、基板の寸法はバラツキが生じやすい。充電端子ユニット１７がゴム部材２３を有さずに剛体だけで形成されている場合は、剛体である基板と剛体同士で接触することになるため、基板を支持部材として使用するためにはシビアな寸法管理や調整が必要となってしまう。しかしながら、本発明の携帯電話機１では、下筐体１１の溝部１９の外周に充電端子ユニット１７のゴム部材２３を密着させて固定するため、基板部材６２の寸法に多少のバラツキが生じた場合であっても、ゴム部材２３の弾性を利用してそのバラツキを吸収して基板部材６２で充電端子ユニット１７を固定することが可能となる。
【００４２】
そして、図１０（Ａ）乃至図１０（Ｃ）に示すように、さらに下筐体１１の内部において、基板部材６２の上部に内蔵バッテリ６４が収納される。この内蔵バッテリ６４の接続端子が充電端子ユニット１７の第３の平板部３３に接触することで、第１の平板部材３１に接続された外部バッテリや充電器等から内蔵バッテリ６４に電力が供給される。
【００４３】
このように、充電端子ユニット１７が下筐体１１に組み込まれた状態で、下筐体１１が浸水した場合、下筐体１１の溝部１９の外周に密着したゴム部材２３によって下筐体１１の内部に水が浸入するのが食い止められるため、図１１に示すように、充電端子ユニット１７のゴム部材２３を境に、下筐体１１の外側（第１の平板部３０の側）は水没するが、下筐体１１の内側（第２の平板部３２及び第３の平板部３３の側）は水没することが防止されている。
【００４４】
充電端子ユニット１７において、樹脂部材２２から露出している金属部分は、第１の金属部材２０及び第２の金属部材２１の第１の平板部３０、第２の平板部３２、第３の平板部３３であり、また、充電端子ユニット１７が下筐体１１に嵌め込まれた際に、これらの金属部分のうちのゴム部材２３よりも外側（水没する側）において露出している部分は、第１の平板部３０に限定されるため、この第１の平板部３０にのみ、腐食を防ぐために、例えば金メッキ等のメッキ処理を行えば良い。
【００４５】
なお、第１の金属部材２０及び第２の金属部材２１の形状はこれに限定されず、第１の平板部３０が下筐体１１の外部に露出し、第２の平板部３２または第３の平板部３３が下筐体１１の内部に露出するような形状なら、任意の形状に形成されて良い。
【００４６】
また、防水用パッキンとしての役割を担うゴム部材２３が携帯電話機１において嵌合する部位が、全て樹脂材料（樹脂部材２２の台部４６）で形成されることにより、このゴム部材２３を充電端子ユニット１７に嵌め込む際、または、充電端子ユニット１７を下筐体１１に組み込む際に、ゴム部材２３に傷を付けてしまう可能性が小さくなり、防水機能の信頼性を向上させることが可能となる。
【００４７】
本発明に係る電子機器（携帯電話機１）によると、充電端子ユニット１７を下筐体１１とは別ピースとして形成するとともに、ゴムパッキン（ゴム部材２３）を用いて筐体１１の内部への浸水を防止し、充電端子ユニット１７において水没する恐れのある金属部分を少なくすることにより、金メッキを行う領域をできる限り少なくすることができる。これにより、防水機能を備えた携帯電話機１の製造コストを大幅に削減することが可能となる。また、防水用パッキンとなるゴム部材２３の嵌合部分を全て樹脂部材２２で形成することにより、防水機能の信頼性を高めることができる。
【００４８】
また、本発明に係る電子機器（携帯電話機１）によると、固定部材６０を用いて充電端子ユニット１７を下筐体１１に固定することにより、電子機器に強い水圧が加わった場合や電子機器が強く揺さぶられた場合であっても、充電端子ユニット１７の位置がずれることが防止される。さらに、基板部材６２において充電端子ユニット１７に当接する突起部６３を設けて、この基板部材６２を充電端子ユニット１７に当接させることにより充電端子ユニット１７を下筐体１１に固定することで、充電端子ユニット１７を下筐体１１の内部に強固に固定することが可能となる。
【００４９】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、携帯ゲーム機、携帯テレビ等、防水加工を施す可能性がある電子機器であれば、任意の電子機器であって良い。
【図面の簡単な説明】
【００５０】
【図１】本発明に係る電子機器（携帯電話機）を示す斜視図。
【図２】本発明に係る電子機器（携帯電話機）の充電端子ユニットの収納状態を示す図。
【図３】本発明に係る電子機器（携帯電話機）の充電端子ユニットの分解斜視図。
【図４】（Ａ）は、充電端子ユニットの第１の金属部材の正面図、（Ｂ）は、充電端子ユニットの第１の金属部材の背面図、（Ｃ）は、充電端子ユニットの第１の金属部材の左側面図、（Ｄ）は、充電端子ユニットの第１の金属部材の右側面図、（Ｅ）は、充電端子ユニットの第１の金属部材の平面図、（Ｆ）は、充電端子ユニットの第１の金属部材の底面図。
【図５】（Ａ）は、充電端子ユニットの第２の金属部材２１の正面図、（Ｂ）は、充電端子ユニットの第２の金属部材の背面図、（Ｃ）は、充電端子ユニットの第２の金属部材の左側面図、（Ｄ）は、充電端子ユニットの第２の金属部材の右側面図、（Ｅ）は、充電端子ユニットの第２の金属部材の平面図、（Ｆ）は、充電端子ユニットの第２の金属部材の底面図。
【図６】（Ａ）は、充電端子ユニットの樹脂部材の正面図、（Ｂ）は、充電端子ユニットの樹脂部材の背面図、（Ｃ）は、充電端子ユニットの樹脂部材の左側面図、（Ｄ）は、充電端子ユニットの樹脂部材の右側面図、（Ｅ）は、充電端子ユニットの樹脂部材の平面図、（Ｆ）は、充電端子ユニットの樹脂部材の底面図。
【図７】（Ａ）は、本発明に係る電子機器（携帯電話機）の充電端子ユニットを所定方向から見た完成斜視図、（Ｂ）は、本発明に係る電子機器（携帯電話機）の充電端子ユニットを所定方向から見た完成斜視図、（Ｃ）は、（Ａ）のＡ方向における断面図。
【図８】本発明に係る電子機器（携帯電話機）において、下筐体に充電端子ユニットを嵌め込む状態を示す図。
【図９】本発明に係る電子機器（携帯電話機）において、充電端子ユニットが嵌め込まれた下筐体に基板部材を嵌め込む状態を示す図。
【図１０】（Ａ）は、本発明に係る電子機器（携帯電話機）の下面図、（Ｂ）は、（Ａ）のＢ方向における断面図、（Ｃ）は、（Ａ）のＣ方向における断面図。
【図１１】本発明に係る電子機器（携帯電話機）の作用について説明するための図。
【符号の説明】
【００５１】
１…携帯電話機，１０…上筐体，１１…下筐体，１２…ヒンジ部，１３…液晶ディスプレイ，１４…スピーカ，１５…操作キー，１６…マイクロフォン，１７…充電端子ユニット，１８…窓部，１９、１９ａ…溝部，２０…第１の金属部材，２１…第２の金属部材，２２…樹脂部材，２３…ゴム部材，３０…第１の平板部，３１…連結部，３２…第２の平板部，３３…第３の平板部，３４、３６、３７…係止片，４０…平板部，４１…舌片，４２、４２ａ…凹部，４４、４７、４９…溝部，４５、４５ａ、４８、４８ａ、５１…切込部，４６…台部，５０…貫通孔，６０…固定部材，６１、６１ａ…突出部，６２…基板部材，６３…突起部，６４…内蔵バッテリ。
【図１】
0004930355.tif 000002
【図２】
0004930355.tif 000003
【図３】
0004930355.tif 000004
【図４】
0004930355.tif 000005
【図５】
0004930355.tif 000006
【図６】
0004930355.tif 000007
【図７】
0004930355.tif 000008
【図８】
0004930355.tif 000009
【図９】
0004930355.tif 000010
【図１０】
0004930355.tif 000011
【図１１】
0004930355.tif 000012